(57)【要約】【課題】光源部を導光体に対して適切な位置に配置可能で且つ製造面においても有利な照明装置の構造を提供する。【解決手段】照明装置は、棒状の導光体と、前記導光体に光を入れる光源部と、前記導光体の側面を覆い、かつ、前記光源部を収容するカバー部材と、前記カバー部材を収容する筐体と、を備え、前記カバー部材は、前記光源部を収容するための収容部を有し、前記収容部の開口は、前記光源部を前記収容部へガイドするように傾斜している。【選択図】図４
2019050450.tif 000002
【特許請求の範囲】
【請求項１】
棒状の導光体と、
前記導光体に光を入れる光源部と、
前記導光体の側面を覆い、かつ、前記光源部を収容するカバー部材と、
前記カバー部材を収容する筐体と、
を備え、
前記カバー部材は、前記光源部を収容するための収容部を有し、
前記収容部の開口は、前記光源部を前記収容部へガイドするように傾斜している
ことを特徴とする照明装置。
【請求項２】
前記導光体は第１方向に延設され、
前記カバー部材は、前記導光体の前記第１方向に延在する側面の一部を、光を出射させる光出射面として露出するように、前記第１方向に延設されており、
前記カバー部材は、前記導光体からの光を前記光出射面側に反射するように構成され、
前記筐体は、前記導光体からの光を吸収するように構成されている
ことを特徴とする請求項１に記載の照明装置。
【請求項３】
前記収容部の側壁は、前記導光体の端面を、前記光源部からの光を前記導光体内に入射させる光入射面として前記光源部に対して露出させるように設けられている
ことを特徴とする請求項２に記載の照明装置。
【請求項４】
前記光源部の前記収容部への挿入方向を第２方向とし、
前記第１方向および前記第２方向の双方と直交する方向を第３方向として、
前記光源部は、突出部を有し、
前記カバー部材は、前記収容部に挿入された前記光源部の前記第３方向の位置ずれを規制するように、前記収容部の前記導光体とは反対側の面に、前記突出部と係合するスリットを有している
ことを特徴とする請求項２または請求項３に記載の照明装置。
【請求項５】
前記光源部が実装された基板を更に備え、
前記光源部は、端子を有し、
前記端子は、前記基板に固定されている
ことを特徴とする請求項１から請求項４の何れか１項に記載の照明装置。
【請求項６】
前記第１方向に延設され、一端部において前記光源部が第１光源部として実装され且つ他端部において前記第１光源部とは異なる第２光源部が実装された基板を更に備え、
前記基板は、前記第１光源部が前記導光体の端面と対向すると共に前記第２光源部が前記導光体の該端面とは反対側の端面と対向するように、前記筐体に対して固定された
ことを特徴とする請求項２から請求項４の何れか１項に記載の照明装置。
【請求項７】
前記基板は、前記筐体に対して、前記第１光源部が実装された前記一端部側よりも前記第２光源部が実装された前記他端部側の方が強固に固定されている
ことを特徴とする請求項６に記載の照明装置。
【請求項８】
前記第１光源部と前記導光体との距離は、前記第２光源部と前記導光体との距離よりも大きい
ことを特徴とする請求項６または請求項７に記載の照明装置。
【請求項９】
前記収容部の側壁は、前記第１方向で向かい合う２つの部分の少なくとも一方に、前記光源部を前記収容部にガイドするための傾斜面を有する
ことを特徴とする請求項６から請求項８の何れか１項に記載の照明装置。
【請求項１０】
請求項１から請求項９の何れか１項に記載の照明装置と、ロッドレンズアレイと、ラインセンサとを備える
ことを特徴とする読取装置。
【請求項１１】
媒体の読取を行う請求項１０に記載の読取装置と、
前記読取装置による読取結果に基づいて媒体に記録を行う記録手段と、
媒体を搬送する搬送手段と、
を備えることを特徴とする記録装置。
【発明の詳細な説明】
【技術分野】
【０００１】
本発明は、照明装置、読取装置および記録装置に関する。
【背景技術】
【０００２】
スキャナ等の読取装置は、例えば、原稿に対して光を照射する照明装置と、原稿からの反射光を検出する光検出装置とを備え、これにより、原稿上の画像（文字、図形、写真等）を読み取ることができる。
【先行技術文献】
【特許文献】
【０００３】
【特許文献１】特開２０１４−３３４４０号公報
【発明の概要】
【発明が解決しようとする課題】
【０００４】
照明装置のなかには、ＬＥＤ等の光源部から受けた光を導く棒状の導光体をカバー部材に組み付け、このカバー部材を筐体に対して固定して成るものがある（特許文献１参照）。カバー部材は、導光体の側面の一部を光出射面として露出するように延設され、導光体からカバー部材へ向かう光を光出射面側に向けて反射させるように構成される。
【０００５】
上記光源部は、導光体の端部の面（端面）と対向するように導光体に対して適切な位置に配置されることが求められ、そのため、これを実現可能な構造が、製造時の作業効率も考慮して設計されるとよい。
【０００６】
本発明の目的は、光源部を導光体に対して適切な位置に配置可能で且つ製造面においても有利な照明装置の構造を提供することにある。
【課題を解決するための手段】
【０００７】
本発明の一つの側面は照明装置にかかり、前記照明装置は、棒状の導光体と、前記導光体に光を入れる光源部と、前記導光体の側面を覆い、かつ、前記光源部を収容するカバー部材と、前記カバー部材を収容する筐体と、を備え、前記カバー部材は、前記光源部を収容するための収容部を有し、前記収容部の開口は、前記光源部を前記収容部へガイドするように傾斜していることを特徴とする。
【発明の効果】
【０００８】
本発明によれば、光源部を導光体に対して適切な位置に配置することができる。
【図面の簡単な説明】
【０００９】
【図１】読取装置の構造の例を説明するための斜視図である。
【図２】読取装置の構造の例を説明するための断面図である。
【図３】カバー部材の構造の例を説明するための斜視図である。
【図４】読取装置の構造の例を説明するための断面図である。
【図５】記録装置の構造の例を説明するための断面図である。
【発明を実施するための形態】
【００１０】
以下、添付図面を参照しながら本発明の好適な実施形態について説明する。なお、各図は、構造ないし構成を説明する目的で記載された模式図に過ぎず、図示された各部材の寸法は必ずしも現実のものを反映するものではない。また、各図において、同一の部材または同一の要素には同一の参照番号を付しており、以下において重複する内容の説明を省略するものとする。
【００１１】
図１は、実施形態に係る読取装置ＲＯの全体構造を示す斜視図である。図２は、読取装置ＲＯの切断線ｄ１−ｄ１での断面図である。なお、図中には、構造の理解の容易化のため、互いに直交するＸ方向、Ｙ方向およびＺ方向を示す（他図についても同様とする。）。読取装置ＲＯは、Ｘ方向に延設された長尺状の構造を有する。Ｘ方向は、延設方向あるいは長尺方向と表現されてもよい（第１方向）。Ｙ方向は、読取装置ＲＯの幅方向に対応する（第３方向）。また、Ｚ方向は、読取装置ＲＯの高さ方向に対応する（第２方向）。
【００１２】
図１及び図２に示されるように、読取装置ＲＯは、照明装置１、ロッドレンズアレイ２、および、ラインセンサ３を具備する。照明装置１は、導光部１１、カバー部材１２、筐体１３、並びに、光源部１４Ａ及び１４Ｂを備える。
【００１３】
導光体１１は、Ｘ方向に延設された棒状の部材である。導光体１１は、その両端部にそれぞれ配された光源部（第１光源部）１４Ａおよび光源部（第２光源部）１４Ｂから光を受けて、その光をＸ方向に導く。導光体１１には、例えばアクリル等で構成された光ファイバが用いられ、導光体１１の光源部１４Ａ側の端面および光源部１４Ｂ側の端面は、それぞれ、光入射面として作用する。
【００１４】
カバー部材１２は、導光体１１の側面（Ｘ方向に延在する側面）の一部を露出し且つ他の一部を覆うようにＸ方向に延設され、それにより導光体１１を固定ないし支持する。導光体１１の側面のうち上記露出された一部（露出面）は、導光体１１内の光を出射させる光出射面として作用する。この光出射面は、本実施形態では、図２において＋Ｚ側の露出面に対応する。
【００１５】
筐体１３は、カバー部材１２を固定し、このカバー部材１２を導光体１１並びに光源部１４Ａ及び１４Ｂと共に収容する。詳細については後述とするが、カバー部材１２は、図１に示されるように、一端部（＋Ｘ方向側の端部）１２１と、他端部（−Ｘ方向側の端部）１２２とを含み、端部１２１側において導光体１１および光源部１４Ａを保持可能に構成されている。なお、光源部１４Ｂは、本実施形態では端部１２２側において固定される。
【００１６】
図１において一点鎖線で示された領域の拡大図から分かるように、筐体１３は、係止部１３１および当接部１３２を有する。なお、この拡大図においては、筐体１３の構造を分かりやすくするため、導光体１１およびカバー部材１２を不図示とする。
【００１７】
係止部１３１は、カバー部材１２を係止可能にツメ状に延出しており、これによりカバー部材１２を固定する。よって、係止部１３１は、該カバー部材１２に固定された導光体１１を間接的に固定する形となる。また、当接部１３２は、カバー部材１２に固定された導光体１１と当接し、それにより該導光体１１を支持する。
【００１８】
カバー部材１２は、導光体１１からの光を光出射面側に反射するよう、例えば白色等、光反射率が比較的高い部材で構成される。例えば、カバー部材１２には、酸化チタンが添加されたポリカーボネートが用いられうる。一方、筐体１３は、導光体１１からの光を吸収するよう、例えば黒色等、光吸収率が比較的高い部材で構成される。例えば、筐体１３には、ガラスファイバを含むポリカーボネートが用いられうる。これにより、光出射面以外への導光体１１からの光の漏れを防ぐと共に筐体１３内での迷光を防ぐことが可能となっている。
【００１９】
ロッドレンズアレイ２は、図２に示されるように、筐体１３内において、導光体１１とＹ方向で隣り合う位置に固定される。導光体１１から出射された光は、読取装置ＲＯ上方（＋Ｚ方向側）において不図示の読取対象物で反射され、該反射された光は、ロッドレンズアレイ２により集光されて下方（−Ｚ方向側）に導かれる。なお、読取対象物の例としては、例えば原稿や雑誌等、画像が形成された記録媒体が挙げられる。
【００２０】
ラインセンサ３は、図２に示されるように、ロッドレンズアレイ２の下方（−Ｚ方向側）に固定され、ロッドレンズアレイ２により集光された上記光を検出可能である。ラインセンサ３には、例えばＣＭＯＳイメージセンサ等、公知の光電変換素子が用いられる。ラインセンサ３は、基板ＳＢの上面（＋Ｚ方向側の面、実装面）に実装されており、この基板ＳＢは筐体１３に対して固定される。本実施形態では、基板ＳＢの下面（−Ｚ方向側の面、上記実装面とは反対側の面）に外部通信用コネクタＣＮが設けられており、このコネクタＣＮにより、ラインセンサ３による上記光の検出結果に応じた信号ないしデータが出力される。
【００２１】
図３（Ａ）及び３（Ｂ）は、カバー部材１２の端部１２１の構造を説明するための斜視図である。ここでは説明のため、端部１２１と共に光源部１４Ａを図示する。本実施形態では、光源部１４Ａは、パッケージングされたＬＥＤデバイスであり、図中において破線で示された基板ＳＢに実装される。より詳細には、光源部１４Ａは、発光用の電力および駆動用の信号を受け取るための端子ＴＡを含み、この端子ＴＡは基板ＳＢに電気的に接続されている。本実施形態では、光源部１４Ａは、端子ＴＡを基板ＳＢにはんだ付けすることによって基板ＳＢに固定され、この端子ＴＡにより基板ＳＢから＋Ｚ方向に起立した姿勢となっている。
【００２２】
なお、ここでは不図示とするが、基板ＳＢ上において、光源部１４Ａの実装位置とは反対側の位置に光源部１４Ｂが光源部１４Ａ同様に実装され、また、ラインセンサ３が光源部１４Ａ及び１４Ｂの間に実装される。
【００２３】
図３（Ａ）は、光源部１４Ａが実装された基板ＳＢを、不図示の筐体１３に対して固定する前の態様を示しており、図３（Ｂ）は、該基板ＳＢを筐体１３に対して固定した後の態様を示している。
【００２４】
本実施形態では、端部１２１は、保持部１２１１および収容部（或いは凹部）１２１２を含む。保持部１２１１は、２つの腕部が＋Ｙ方向に延出して成り、これにより導光体１１の端部を保持可能となっている。収容部１２１２は、保持部１２１１の外側（＋Ｘ方向側）においてＹ方向に延設された部分に＋Ｚ方向に陥凹して設けられ、或いは、−Ｚ方向において開放された形状となっており、光源部１４Ａを挿入可能となっている。
【００２５】
ここで、収容部１２１２の側壁は、収容部１２１２の開口が広がるように傾斜した傾斜面Ｆ１〜Ｆ３を有する。傾斜面Ｆ１は、収容部１２１２の−Ｘ方向側の側壁（導光体１１側の側壁）のうち、−Ｚ方向側の一部に設けられる。傾斜面Ｆ２は、収容部１２１２の＋Ｘ方向側の側壁（上記傾斜面Ｆ１と対向する側壁）のうち、−Ｚ方向側の一部に設けられる。傾斜面Ｆ３は、上記２つの側壁を接続する−Ｙ方向側の側壁のうち、−Ｚ方向側の一部に設けられる。
【００２６】
図３（Ｂ）に示されるように、基板ＳＢを筐体１３に対して固定する際、基板ＳＢに実装された光源部１４Ａは収容部１２１２に挿入され、収容部１２１２内に保持される。このとき、収容部１２１２が上述の形状を有することにより、光源部１４Ａは、これら傾斜面Ｆ１〜Ｆ３により収容部１２１２内に滑らかに導かれる。即ち、本実施形態によれば、光源部１４Ａを収容部１２１２に挿入しやすいため、製造面において有利となる。
【００２７】
また、端部１２１は規制部１２１３を更に含む。本実施形態では、規制部１２１３は、収容部１２１２の＋Ｘ方向側の側壁にＺ方向に延びて設けられたスリット状の長孔（或いは、単に「スリット」と表現されてもよい。）である。また、光源部１４Ａの側面のうち収容部１２１２の上記側壁と対向する面には突出部１４１が設けられている。突出部１４１は、＋Ｘ方向に突出した形状がＺ方向に沿って連続的に形成されて成り、光源部１４Ａが収容部１２１２に挿入され／収容部１２１２内に保持されるとき、この突出部１４１は規制部１２１３と係合する。これにより、光源部１４ＡのＹ方向での位置ずれが規制され、導光体１１の端面（光入射面）に対する光源部１４Ａの位置が固定される。
【００２８】
読取装置ＲＯの切断線ｄ２−ｄ２での断面図として、図４（Ａ）には、読取装置ＲＯの＋Ｘ方向側端部（カバー部材１２の端部１２１およびその周辺構造）の断面構造を示す。同様に、図４（Ｂ）には、読取装置ＲＯの−Ｘ方向側端部（カバー部材１２の端部１２２およびその周辺構造）の断面構造を示す。
【００２９】
光源部１４Ａ及び１４Ｂが実装された基板ＳＢは、筐体１３に対して＋Ｚ方向に組み付けられる。その際、前述のとおり（図３（Ａ）及び３（Ｂ）参照）、及び、図４（Ａ）からも分かるように、光源部１４Ａは収容部１２１２に挿入され収容部１２１２内に保持される。一方、光源部１４Ｂは、本実施形態では、図４（Ｂ）に示されるように、カバー部材１２の端部１２２と筐体１３との間の空間に挿入され、その位置に固定される。
【００３０】
本実施形態では、２つの光源部１４Ａ及び１４Ｂのうち光源部１４Ｂについての他の部材（ここでは筐体１３、及び、付随的にケース部材１２）に対する相対位置を優先的に確定させる。即ち、光源部１４Ｂについての筐体１３内での配置位置あるいは固定位置を、光源部１４Ａより優先的に決定する。このことは、光源部１４Ａについては光源部１４Ｂよりも筐体１３に対する位置ずれが許容されているとも言える。
【００３１】
一例として、照明装置１の製造ないし作製は、以下の手順で作業者により実現されうる。即ち、導光体１１をカバー部材１２に組み付けた後、このカバー部材１２を導光体１１と共に筐体１３内に固定する。その後、光源部１４Ａ及び１４Ｂが実装された基板ＳＢを筐体１３に対して固定する。その際、先ず、光源部１４Ｂを、カバー部材１２の端部１２２と筐体１３との間の空間に挿入し、次に、光源部１４Ｂを支点として基板ＳＢを回動させて筐体１３に対して近接させ、光源部１４Ａを端部１２１の収容部１２１２に挿入する。このようにして、基板ＳＢは、筐体１３に対して、光源部１４Ａが導光体１１の一端側の端面と対向し且つ光源部１４Ｂが他端側の端面と対向するように、固定される。
【００３２】
よって、本実施形態では、基板ＳＢは、光源部１４Ｂを基準として位置決めされているとも言える。そのため、基板ＳＢは、光源部１４Ａ側よりも光源部１４Ｂ側の方で（光源部１４Ａよりも光源部１４Ｂに近い位置で）筐体１３に対して強固に固定される。
【００３３】
本実施形態では、筐体１３の光源部１４Ａ側の端部近傍には凸部１３９Ａが設けられ、光源部１４Ｂ側の端部近傍には凸部１３９Ｂが設けられる。これら凸部１３９Ａ及び１３９Ｂのそれぞれを基板ＳＢに設けられた開口に挿通させることで、基板ＳＢの筐体１３に対する位置合わせを行うことができる。このとき、凸部１３９Ｂ対応の開口の幅は、凸部１３９Ａ対応の開口の幅より小さく設定されてもよい。これにより、光源部１４Ｂの筐体１３内における位置が、より強固に固定されうる。
【００３４】
そして、前述のとおり、収容部１２１２に傾斜面Ｆ１〜Ｆ３が設けられていることにより、光源部１４Ａを収容部１２１２に挿入しやすい。そのため、本実施形態によれば、ケース部材１２、筐体１３および基板ＳＢの寸法公差を緩衝可能となり、製造面において更に有利となる。
【００３５】
ここで、傾斜面Ｆ１〜Ｆ３の傾斜角は、Ｚ方向に対して傾いていればよい。傾斜面とＺ方向との成す角（傾斜角）をθとしたとき、傾斜角θを小さくし過ぎると、上記寸法公差の許容範囲が狭くなり、傾斜角θを大きくし過ぎると、却って光源部１４Ａを収容部１２１２内に導くことができなくなる。よって、傾斜角θは、例えば、０°＜θ≦４５°の範囲内、より好適には５°≦θ≦３０°の範囲内で設定されるとよい。
【００３６】
収容部１２１２の深い位置では（即ち傾斜面Ｆ１〜Ｆ３よりも＋Ｚ方向側では）、側壁は略垂直に設けられるとよい。これにより、収容部１２１２内に保持された光源部１４Ａは、Ｚ方向に沿って起立した姿勢に維持される。
【００３７】
また、導光体１１と光源部１４Ａとの間には、図４（Ａ）に示されるように、ギャップＧＰが設けられる。本実施形態では、基板ＳＢが光源部１４Ｂを基準として位置決めされており、それに伴い、導光体１１は、端部１２２において不図示の固定部により（端部１２１における保持部１２１１よりも強固に）固定される。そのため、導光体１１は、光源部１４Ａ側に熱膨張する可能性がある。本実施形態によれば、導光体１１と光源部１４Ａとの間にギャップＧＰを設けることで、導光体１１と光源部１４Ａとが当接して導光体１１に不測の応力が発生することを防ぐことができる。これにより、読取装置ＲＯの読取精度を向上させ、或いは、該読取精度を高く維持することが可能となる。上記ギャップＧＰは、光源部１４Ｂと導光体１１との距離（本実施形態では実質的に０）よりも大きく設けられればよい。
【００３８】
以上、本実施形態によれば、カバー部材１２の端部１２１には収容部１２１２が設けられている。この収容部１２１２は、光源部１４Ａを挿入可能に、かつ、その光源部１４Ａを、それが導光体１１の光入射面である端面と対向するように保持可能に設けられる。そして、収容部１２１２の側壁は、収容部１２１２の開口が広がるように傾斜した傾斜面Ｆ１〜Ｆ３を有する。
【００３９】
本実施形態によれば、照明装置１の製造工程において、収容部１２１２に光源部１４Ａを挿入する際、傾斜面Ｆ１〜Ｆ３が光源部１４Ａの挿入を案内（ガイド）する形となる。そのため、光源部１４Ａは、滑らかに収容部１２１２に挿入され、よって、光源部１４Ａを導光体１１に対して適切な位置に配置することが比較的簡素な構成で実現可能となる。
【００４０】
本実施形態では、収容部１２１２に３つの傾斜面Ｆ１〜Ｆ３を設けた構造を例示したが、他の実施形態として、傾斜面Ｆ３は省略されてもよい（垂直でもよい。）。また、更に他の実施形態として、基板ＳＢの設計上の寸法に基づいて、或いは、光源部１４Ａ及び１４Ｂ間の設計上の距離に基づいて、傾斜面Ｆ１及びＦ２の一方は省略されてもよい。
【００４１】
図５は、上述の照明装置１を備えた読取装置ＲＯの適用例として、記録装置ＰＡの構成例を示す。記録装置ＰＡには、インクジェット方式、電子写真方式等の公知の記録方式が採用されうる。記録装置ＰＡは、インクジェットプリンタ、レーザービームプリンタ、複写機、ＭＦＰ（マルチファンクションプリンタ）等を含む印刷装置、画像形成装置等とも称されてもよい。記録装置ＰＡは、読取装置ＲＯの他、記録部Ｈと、プロセッサＰＲと、複数の搬送ローラＲとを具備する。
【００４２】
記録部Ｈには、例えば、インク等の液体を吐出するためのヘッドが用いられる。記録部Ｈは、印刷用データに基づく電気信号により駆動され、記録媒体Ｐに上に液体を吐出することで記録媒体Ｐに画像を記録する。プロセッサＰＲは、印刷用データに基づく電気信号を記録部Ｈに出力し、記録部Ｈを駆動する。搬送ローラＲは、プロセッサＰＲからの駆動信号に基づいて記録媒体Ｐを搬送する。本実施形態では、搬送ローラＲは、記録部Ｈにより画像が記録された記録媒体Ｐを、図中において一点鎖線で示された方向に、読取装置ＲＯに向かって搬送する。
【００４３】
読取装置ＲＯは、記録装置ＰＡ内において、着脱可能に収容され、上記記録部Ｈにより記録された記録媒体Ｐ上の画像を読み取る。プロセッサＰＲは、読取装置ＲＯによる読取結果を受け取り、その読取結果に基づいて、例えば、記録部Ｈの駆動力（例えば液体吐出量）を補正することが可能であるし、記録のやり直しが必要であることをユーザに通知することも可能である。その他、照明装置１は、ドキュメントリーダ、フラットベッドスキャナ等の記録機能を有しない読取装置にも適用可能である。
【００４４】
本発明は、以上に例示された態様に限られるものではなく、本発明の趣旨を逸脱しない範囲での変更が可能である。また、本明細書に記載された個々の用語は、本発明を説明する目的で用いられたものに過ぎず、本発明は、その用語の厳密な意味に限定されるものでないことは言うまでもなく、その均等物をも含みうる。例えば、装置という文言に替わってアセンブリ／ユニット／モジュール／デバイス等と表現されてもよいし、逆も同様である。
【符号の説明】
【００４５】
１：照明装置、１１：導光体、１２：カバー部材、１３：筐体、１４Ａ：光源部、１２１２：収容部、Ｆ１〜Ｆ３：傾斜面。
【図１】
2019050450.tif 000003
【図２】
2019050450.tif 000004
【図３】
2019050450.tif 000005
【図４】
2019050450.tif 000006
【図５】
2019050450.tif 000007